(57)【特許請求の範囲】
【請求項１】
相互に対向面を有する一対の金属製の掴み部片を、前記対向面と直交するようにして差し込まれるボルトによって相互に締め付け固定できるようにすること；各掴み部片の対向面には対象ホ−スを挟持する半円柱状の受け穴を設けること；対象ホ−スに対し一対の掴み部片を装着させた時、対象ホ−スは対をなす受け穴部分で抱持固定させること；掴み部片にホ−ス軸線から外れた掛止部を設けること；及び掛止部と拘束基準物との間は高強度連結材で接続することを構成条件とするホ−ス用安全装置。
【請求項２】
前記掛止部が、前記一対の掴み部片を締め付け固定する前記ボルトであり、
さらに前記高強度連結材が金属製チェ−ンであり、
前記一対の掴み部片の対向面の間で、前記一対の掴み部片を締め付け固定する前記ボルトに前記金属製チェ−ンの一端に設けられたループ部分が貫通されていることを特徴とする請求項１に記載のホ−ス用安全装置。
【請求項３】
前記掛止部が、前記一対の掴み部片の対向面の一方から突出し、前記一対の掴み部片の対向面の他方に着脱可能に嵌合されるピンであり、
さらに前記高強度連結材が金属製チェ−ンであり、
前記ピンに前記金属製チェ−ンの一端に設けられたループ部分が貫通されていることを特徴とする請求項１に記載のホ−ス用安全装置。
【請求項４】
前記一対の掴み部片の組付け状態における外側面に相当する部分をゴム状弾性体で被覆したことを特徴とする請求項１から請求項３までのいずれか１項に記載のホ−ス用安全装置。
【発明の詳細な説明】
【０００１】
【発明の属する技術分野】
この発明は例えば超高圧ホ−ス用安全装置に関するものである。
【０００２】
【従来の技術】
近年、ノズルから噴出する高圧水を利用してコンクリ−トや鉄筋を切断したり、古い塗装を剥離させたりする工法が盛んに行われている。このような工法の実施において用いられるホ−スは勿論高圧に耐えられるものでなくてはならず、例えば、合成樹脂からなる外筒と内筒等の間にワイヤ−や繊維等の厚く強靭な補強層が施されたホ−スが採用されている。
【０００３】
しかしながら、高圧に耐えるように作られた前述のようなホ−スであっても、長期の使用においては疲労によって破損が生ずることもある。その破損の個所はそのほとんどが機器や口金具とホ−スの接続部又は２つのホ−ス間の接続部において用いられる継手付近である。そして超高圧ホ−スにおいて破損が生ずると、切断されたホ−スの端部が激しく動き回ったり、口金具或いはこれを付けたままのホ−スが飛んだりして極めて危険であった。
【０００４】
そこで、各種の安全装置が提案されているところであるが、未だ十分なものが提案されてないのが現状である。本願人においても、前述の危険性に対処するため、かかるホ−ス用安全装置について特許出願をした。即ち、特公平７−８１６６０号として公告された安全装置は、高圧流体を発生させる装置と他の装置或いは高圧流体を噴出するノズルとを連絡するホ−スにおいて、ホ−スとホ−スとの継手或いはホ−スと装置との接続部を挟んだ位置で、両方にアンカ−を設けてこの両アンカ−を連結し、ホ−スに設けられるアンカ−は、ホ−スの外周面に接触する側に摩擦面を有し外側にテ−パ面を有し該テ−パ面が押圧されることにより半径方向に拡縮するスリ−ブと、該スリ−ブを外側から保持し該保持部位に前記テ−パ面と対応するテ−パ面を有するボデイ金具と、該ボデイ金具に螺合し前記スリ−ブを押圧して摩擦力を発生させるユニオン金具と、から構成されるものである。
【０００５】
しかしながら、前記の安全装置においては、ボデイ金具に対しユニオン金具を締め付け過ぎることがあり、この場合ホ−スの外周に対しスリ−ブを必要以上に喰い込ませてしまい、ホ−スの寿命を短くしてしまう恐れがあった。又、ボデイ金具及びユニオン金具の内径はホ−スの端部に付けられた金具を挿通させるため該口金具の外径よりも大きくしなければならず、安全装置全体が大型となってしまうこと、並びにホ−ス収納時にこの安全装置を取り付けたままでホ−スをドラム等に巻き込んだ場合、ホ−スを損傷させる恐れがあることなどなお改善すべき問題点がある。
【０００６】
【発明が解決しようとする課題】
この発明のホ−ス用安全装置は、該装置のホ−スに対する組付け時にホ−スを傷めることがないようにすること、安全装置を小型化すること、並びにこの安全装置を取り付けたままでホ−スをドラム等に巻き込んでもホ−スを損傷させることがないようにすることを目的として提案されたものである。
【０００７】
【課題を解決するための手段】
上記の目的を達成するため、この発明の請求項１記載のホ−ス用安全装置は、相互に対向面を有する一対の金属製の掴み部片を、前記対向面と直交するようにして差し込まれるボルトによって相互に締め付け固定できるようにすること；各掴み部片の対向面には対象ホ−スを挟持する半円柱状の受け穴を設けること；対象ホ−スに対し一対の掴み部片を装着させた時、対象ホ−スは対をなす受け穴部分で抱持固定させること；掴み部片にホ−ス軸線から外れた掛止部を設けること；及び掛止部と拘束基準物との間は高強度連結材で接続することを構成条件とする。そして好ましくは、請求項１に記載のホ−ス用安全装置において、前記掛止部が、前記一対の掴み部片を締め付け固定する前記ボルトであり（前記掛止部として締め付け固定用の前記ボルトをそのまま利用するものであり）、さらに前記高強度連結材が金属製チェ−ンであり、前記一対の掴み部片の対向面の間で、前記一対の掴み部片を締め付け固定する前記ボルトに前記金属製チェ−ンの一端に設けられたループ部分が貫通されていることが好ましい。また、請求項１に記載のホ−ス用安全装置において、前記掛止部が、前記一対の掴み部片の対向面の一方から突出し、前記一対の掴み部片の対向面の他方に着脱可能に嵌合されるピンであり、さらに前記高強度連結材が金属製チェ−ンであり、前記ピンに前記金属製チェ−ンの一端に設けられたループ部分が貫通されていることが好ましい。さらに好ましくは、前記一対の掴み部片の組付け状態における外側面に相当する部分をゴム状弾性体で被覆したものである。
【０００８】
【発明の実施の形態】
以下、本発明のホ−ス用安全装置を実施例に基づいて更に詳細に説明する。図１〜図３はこの発明の第１実施例を、図４〜図５は第２実施例をそれぞれ示している。第１実施例を示す図１〜図３において、符号１ａ及び１ｂは本発明のホ−ス用安全装置の本体を構成する一対の金属製の掴み部片で、夫々が相互に対向面１１ａ及び１１ｂを有している。そして、この各掴み部片１ａ及び１ｂは例えば図例のように略直方体状に形成されている。
【０００９】
一対の掴み部片１ａ及び１ｂには、対向面１１ａ及び１１ｂと直交するようにして差し込まれる任意数（図示例では２本）のボルト２によって相互に締め付け固定できるように、挿通孔１２及び／又は雌ねじ孔１３が設けてある。
【００１０】
又、各掴み部片１に対向面１１ａ及び１１ｂには挟持すべき対象のホ−ス３と直径をほぼ等しくした半円柱状の受け穴１４ａ及び１４ｂが設けられており、又、受け穴１４ａ及び１４ｂの湾曲面は対象ホ−ス３が２つの受け穴１４ａ及び１１ｂに挟み込まれた時それが滑らないようにするために、ねじ山様又はスプライン様の細かい凹凸面１４ｃに形成してある。なお、半円柱状の受け穴１４ａ及び１４ｂの直径相当分は、対象ホ−ス３の直径よりわずかに小さくしておくと、対象ホ−ス３を対をなす受け穴部分１４ａ及び１４ｂで抱持させた状態で、一対の掴み片１ａ及び１ｂをボルト２の螺合により締着させた時、対象ホ−ス３と掴み片１ａ及び１ｂとの間に滑りが生じにくくなり好ましい。
【００１１】
符号１５は各掴み部片１ａ及び１ｂの対向面１１ａ及び１１ｂに設けた切欠きで、一対の掴み部片１ａ及び１ｂの切欠き１５ａ及び１５ｂとボルト２の中央部はチェ−ン、ワイヤ−ロ−プその他の連結材４の一端を掛止させる掛止部を構成する。図示例においては、連結材４の一端に設けたル−プ部分を切欠き１５ａ及び１５ｂに差し込み、更に、そのル−プ部分にボルト２を挿通させることにより、連結材４の一端を掴み部片１ａ及び１ｂに対し止めてある。なお、連結材４に対する他の掛止部としては、図示はしないが、掴み部片１ａ及び１ｂに設けた単なる挿通孔とすることもできる。
【００１２】
前記の連結材４の他端側は、図１に示すように高圧流体発生装置その他の拘束基準物５の掛止部６に接続する。拘束基準物５は、機器類に限るものではなく、互いに接続された２本のホ−スの他方であってもよく、要するに流通する流体の勢いにより、切断されたホ−スの端部が激しく動き回ったり、口金具を付けたホ−スの端部が激しく動き回ったり、口金具を付けたホ−スが飛んだりすることを本発明の安全装置を介して妨げるものであるなら何でもよい。
【００１３】
又、一対の掴み部片１ａ及び１ｂの組付け状態における外側面に相当する部分の殆どは、ゴム状弾性体７（エラストマ−）で被覆するとよい。ゴム状弾性体７と各掴み部片１ａ及び１ｂとの間は加硫接着や単なる接着によって接合させることができる。
【００１４】
次にこの発明の第１実施例のホ−ス用安全装置においてその使用について説明する。
対象ホ−ス３の口金具３０の近傍において、該ホ−ス３に対し掴み部片１ａ及び１ｂを取り付けるには、対をなす掴み部片１ａ及び１ｂの半円柱状の受け穴１４ａ及び１４ｂを対象ホ−ス３の回りに嵌め合せるようにして対向面１１ａ及び１１ｂを当てがい、次いで、チェ−ン等の連結材４の一端を掴み部片１ａ及び１ｂの切欠き１５ａ及び１５ｂ部分に嵌め込んだ後、ボルト２を夫々の挿通孔１２から差し込んで雌ねじ孔１３に螺合させる。ボルト２の螺合操作は、ボルト頭部の工具係着部２ａに脱着自在に係着させる六角レンチ等の工具で容易に行うことができる。
【００１５】
ここで、掴み部片１ａ及び１ｂは対象ホ−ス３に対してボルト２の締付けにより押し付けられ固定的に取り付けられ、又、ボルト２の一方は連結材４の一端のル−プ部分に貫通され、連結材４の一端と掴み部片１ａ及び１ｂの掛止部（２及び１５）とが接続されることになる。
又、連結材４の他端に設けられた掛け外しが自在な着脱環４ａ等により、機器等の拘束基準物５の掛止部６に接続される。
【００１６】
次に、図４〜図５に示すこの発明の第２実施例の構成について説明する。図において第１実施例を示す図１〜図３と同一の符号で指し示す部材ないし部位は相互に等効の部材ないし部位を表しているので、ここでは、記載の重複を避け、主として第１実施例のもと相違している部分についてのみ述べる。
【００１７】
図４〜図５の第２実施例においては、金属製の掴み部片１ａ及び１ｂの外側面にはゴム状弾性体（エラストマ−）は被覆させていない。又、チェ−ン等の連結材４の一端は、ボルト２に掛け止めるのではなく、一方の掴み部片（この例では１ａ）から切欠き１５ａ内に向け一体に又は別体のものとして突設したピン１６に掛け止めるようにしてある。そして、前記ピン１６の先端は、互いに組み付けられる掴み部片１ａ及び１ｂにおける他方の掴み部片（この場合１ｂ）に対向させて設けた嵌め孔１７に着脱可能に嵌合させるようにしてある。
【００１８】
【発明の効果】
以上説明したこの発明のホ−ス用安全装置によれば、一対の掴み部片をボルトで締め付けて一対の受け穴で対象ホ−スを抱持させる際に、円柱状をなす受け穴の径は、一対の掴み部片の対向面間の当接により所定値以上の寸法となるように制限されるので、対象ホ−スを締め付け過ぎてそれを傷めるようなことがなく、又、掴み部片は２つ割りとした一対のものをボルトによって対象ホ−スの回りに合せるようにしてあるので、対象ホ−ス端部の口金具を装置本体に貫通させたりする必要がなく、装置全体は小型化できるという効果を奏する。尚、特徴的にはホ−スの組立後でも本発明の安全装置を容易に取り付けることが可能であり、逆に、ホ−スが破損して使用不可能になった場合でも、安全装置の再使用が可能となるものである。
【００１９】
尚、掴み部片にホ−ス軸線から外れた掛止部を設けることによって、高強度連結材が強く引っ張られた場合には、受け穴１４ａ及び１４ｂの凹凸面１４ｃがホ−スの軸方向に対し斜めに食い込むことによってホ−スが特に外れにくくなるという特徴がある。このため、万一ボルトが緩んだ場合でも安全機能は確実に発揮されることとなる。
【００２０】
更に、請求項２の発明によれば、前記の効果に加えて、本装置を取り付けたままで対象ホ−スをドラム等に巻き込んでも、装置本体が喰い込んで対象ホ−スを損傷させるようなことはなく、対象ホ−スの寿命を長くするという効果をも奏する。
【図面の簡単な説明】
【図１】図１は本発明に係るホ−ス用安全装置の第１実施例の使用態様を示す平面図である。
【図２】図２は図１の第１実施例の要部を拡大して示す平面図である。
【図３】図３は図２のＡ−Ａ線での断面図である。
【図４】図４は本発明の第２実施例の要部を示す平面図である。
【図５】    図５は図４のＢ−Ｂ線での断面図である。
【符号の説明】
１ａ、１ｂ‥‥掴み部片、
１１ａ、１１ｂ‥‥対向面、
１２‥‥挿通孔、
１３‥‥雌ねじ孔、
１４ａ、１４ｂ‥‥受け穴、
１４ｃ‥‥凹凸面、
１５ａ、１５ｂ‥‥切欠き、
１６‥‥ピン、
１７‥‥嵌め孔、
２‥‥ボルト、
２ａ‥‥工具係着部、
３‥‥対象ホ−ス、
３０‥‥口金具、
４‥‥連結材、
４ａ‥‥着脱環、
５‥‥拘束基準物、
６‥‥掛止部、
７‥‥ゴム状弾性体。
【図１】
0004153096.tif 000002
【図２】
0004153096.tif 000003
【図３】
0004153096.tif 000004
【図４】
0004153096.tif 000005
【図５】
0004153096.tif 000006